(57)【要約】【課題】地面や床に設置される脚部と黒板の下端縁部を挟み込む凹溝とを備え、黒板の下端縁部を凹溝に挟み込むことで黒板を垂直に支持する黒板支持具は、脚部の延長方向と、凹溝に挟み込まれた黒板の下端縁部の延長方向とが一致するので、黒板の面に黒板の面と交差する方向に力が加わった場合に、黒板支持具と黒板とが一緒に転倒しやすかった。【解決手段】黒板４の下端縁部を黒板４の前後方向から挟み込んで黒板４を自立させる上部開口５の溝部６を備えた黒板支持部２と、黒板支持部２の両方の端部に設けられて溝部６に挟み込まれた黒板４の前後方向に延長して設置面に設置される脚部３とを備えた。【選択図】図１
2010115795.tif 000002
【特許請求の範囲】
【請求項１】
黒板の下端縁部を黒板の前後方向から挟み込んで黒板を自立させる上部開口の溝部を備えた黒板支持部と、黒板支持部の両方の端部に設けられて溝部に挟み込まれた黒板の前後方向に延長して設置面に設置される脚部とを備えたことを特徴とする黒板支持具。
【請求項２】
黒板支持部は長尺な底板と底板の両方の側端縁より立上がって互いに対向する立上がり片と両方の立上がり片の上端より互いに近づく方向に延長するように設けられた規制片とにより形成され、溝部の上部開口は互いに対向する規制片の先端間により形成され、規制片の先端間の長さは黒板の下端縁部の裏面より突出するように設けられた突起の先端から黒板の前面までの長さよりも短く形成され、規制片は切り欠き部を備え、黒板の裏面に設けられた突起は切り欠き部を経由して溝部に対して出入可能に形成されたことを特徴とする請求項１に記載の黒板支持具。
【請求項３】
脚部は前脚部と後脚部とを備え、前脚部は一端部と溝部の長手方向の端部の底板とがヒンジにより連結されて溝部の長手方向の端部より溝部に挟み込まれた黒板の前方向に延長する状態と溝部に挟み込まれた黒板の前側に位置する上記立上り片に沿って延長する状態とに移動可能に形成され、後脚部は一端部と溝部の長手方向の端部の底板とがヒンジにより連結されて溝部の長手方向の端部より溝部に挟み込まれた黒板の後方向に延長する状態と溝部に挟み込まれた黒板の後側に位置する上記立上り片に沿って延長する状態とに移動可能に形成されたことを特徴とする請求項２に記載の黒板支持具。
【請求項４】
溝部の内面に磁石を備えたことを特徴とする請求項１乃至請求項３のいずれかに記載の黒板支持具。
【請求項５】
黒板支持部が伸縮自在に形成されたことを特徴とする請求項１に記載の黒板支持具。
【発明の詳細な説明】
【技術分野】
【０００１】
この発明は、黒板を支持する黒板支持具に関する。
【背景技術】
【０００２】
従来、地面や床に設置される脚部と黒板の下端縁部を挟み込む凹溝とを備え、黒板の下端縁部を凹溝に挟み込むことで黒板を垂直に支持する黒板支持具が知られている（例えば、特許文献１等参照）。
【特許文献１】特開２０００−２２７３０１号公報
【発明の開示】
【発明が解決しようとする課題】
【０００３】
しかしながら、上述した黒板支持具は、地面や床に設置される脚部が黒板の凹溝に挟み込まれた下端縁部に沿って延長する。即ち、脚部の延長方向と、凹溝に挟み込まれた黒板の下端縁部の延長方向とが一致するので、黒板の面に黒板の面と交差する方向に力が加わった場合に、黒板支持具と黒板とが一緒に転倒しやすいという課題があった。
【課題を解決するための手段】
【０００４】
本発明による黒板支持具は、黒板の下端縁部を黒板の前後方向から挟み込んで黒板を自立させる上部開口の溝部を備えた黒板支持部と、黒板支持部の両方の端部に設けられて溝部に挟み込まれた黒板の前後方向に延長して設置面に設置される脚部とを備えたことを特徴とする。
黒板支持部は長尺な底板と底板の両方の側端縁より立上がって互いに対向する立上がり片と両方の立上がり片の上端より互いに近づく方向に延長するように設けられた規制片とにより形成され、溝部の上部開口は互いに対向する規制片の先端間により形成され、規制片の先端間の長さは黒板の下端縁部の裏面より突出するように設けられた突起の先端から黒板の前面までの長さよりも短く形成され、規制片は切り欠き部を備え、黒板の裏面に設けられた突起は切り欠き部を経由して溝部に対して出入可能に形成されたことも特徴とする。
脚部は前脚部と後脚部とを備え、前脚部は一端部と溝部の長手方向の端部の底板とがヒンジにより連結されて溝部の長手方向の端部より溝部に挟み込まれた黒板の前方向に延長する状態と溝部に挟み込まれた黒板の前側に位置する上記立上がり片に沿って延長する状態とに移動可能に形成され、後脚部は一端部と溝部の長手方向の端部の底板とがヒンジにより連結されて溝部の長手方向の端部より溝部に挟み込まれた黒板の後方向に延長する状態と溝部に挟み込まれた黒板の後側に位置する上記立上がり片に沿って延長する状態とに移動可能に形成されたことも特徴とする。
溝部の内面に磁石を備えたことも特徴とする。
黒板支持部が伸縮自在に形成されたことも特徴とする。
【発明の効果】
【０００５】
本発明の黒板支持具によれば、黒板支持部の両方の端部に設けられて溝部に挟み込まれた黒板の前後方向に延長して設置面に設置される脚部を備え、溝部に挟み込まれた黒板の下端縁部の延長方向と脚部の延長方向とが異なるので、黒板の面に黒板の面と交差する方向に力が加わっても脚部がその力を受け止めるので、黒板が転倒しにくくなる。
溝部の上部開口は互いに対向する規制片の先端間により形成され、規制片の先端間の長さは黒板の下端縁部の裏面より突出するように設けられた突起の先端から黒板の前面までの長さよりも短く形成され、規制片は切り欠き部を備え、黒板の裏面に設けられた突起は切り欠き部を経由して溝部に対して出入可能に形成されたので、溝部内に挿入された突起が規制片に衝突することで、溝部内に挿入された黒板の下端縁部が溝部から抜けることを防止する。
脚部は、溝部に挟み込まれた黒板の前後方向に延長する場合には黒板が溝部の長手方向の両端の開口を経由して溝部から脱落するようなことを防止でき、溝部に挟み込まれた黒板の前後側に位置する立上がり片に沿って延長する場合にはコンパクトな持ち運びの容易な黒板支持具の状態となる。
溝部の内面に磁石を備えたので、黒板を一定の姿勢に維持させやすくなる。
黒板支持部が伸縮自在に形成されたので、幅の異なる黒板を支持することができる。
【発明を実施するための最良の形態】
【０００６】
最良の形態１．
図１乃至図６は最良の形態１を示し、図１（ａ）は黒板支持具と黒板との関係を示し、図１（ｂ）は黒板が黒板支持具に支持された状態を示し、図２は黒板支持具の脚部の動作を示し、図３（ａ）は黒板支持具の脚部を開いた状態（脚部動作状態）を示し、図３（ｂ）は黒板支持具の脚部を閉じた状態（脚部収納状態）を示し、図４（ａ）は図３（ａ）のＡ−Ａ断面を示し、図４（ｂ）は図３（ｂ）のＢ−Ｂ断面を示し、図５は黒板の突起と黒板支持具の切り欠き部との関係を示し、図６（ａ）乃至（ｄ）は黒板の下端縁部を黒板支持具の溝部内に挿入させる方法を示す。
【０００７】
図１に示すように、黒板支持具１は黒板支持部２と脚部３とを備える。黒板支持部２は、黒板４の下端縁部２０を黒板４の前後方向から挟み込んで黒板４を自立させる上部開口の溝部６を備える。黒板支持部２は、長尺な底板７と、底板７の両方の側端縁より立上がって互いに対向する立上がり片９と、両方の立上がり片９の上端より互いに近づく方向に延長するように設けられた互いに対向する規制片１０とにより形成される。溝部６は、底板７の内面１２Ａ、立上がり片９の内面１３、規制片１０の内面１４、及び、これら内面で囲まれた空間により形成される。つまり、黒板支持部２は、長手方向の両方の端部１１が開口し、かつ、互いに向かい合う規制片１０の先端１２間で形成された開口が上部開口５を形成する溝部６を備える。規制片１０は立上がり片９の上端から底板７の方向に下って傾斜するように設けられる。つまり、規制片１０の上面は、立上がり片９の上端から底板の方向に下って傾斜する傾斜面１６に形成される。この傾斜面１６が黒板４の下端縁部２０を溝部６の上部開口５に導くガイド面として機能する。即ち、黒板支持具１の断面形状は、立上がり片９の上端の両側に爪のような規制片１０を備えたほぼ凹形状に形成される（図４参照）。
【０００８】
黒板４の下端部８の裏面２１には、当該裏面２１より突出する突起２２を備える。互いに向かい合う規制片１０の先端１２間の長さは、黒板４の下端部８の裏面２１より突出するように設けられた突起２２の先端４０から黒板４の前面１５までの長さよりも短く形成される。少なくとも一方の規制片１０には、上記突起２２を溝部６に対して出入可能とするための切り欠き部２３が形成される。切り欠き部２３は、規制片１０の先端１２から立上がり片９の上端を経由して立上がり片９の中間部まで連続した溝によって形成される。よって、黒板４の下端部８の裏面２１に設けられた突起２２を、上方から規制片１０に設けられた切り欠き部２３を経由して溝部６内に挿入できる。切り欠き部２３が立上がり片９の中間部まで連続するよう形成されたので、切り欠き部２３を黒板支持具１の前方や後方からでも視認しやすくなり、突起２２と切り欠き部２３との位置合わせが容易となる。
【０００９】
脚部３は、黒板支持部２の長手方向の両方の端部１１に設けられ、溝部６に挟み込まれた黒板４の前後方向に延長して設置面２５に設置される。脚部３は、前脚部２６と後脚部２７とを備える。前脚部２６及び後脚部２７は、底板部２８と底板部２８の一端より立上がる立上がり部２９とを備えた断面Ｌ字形状の長尺材により形成される。前脚部２６や後脚部２７の底板部２８の長手方向の端部２８ａと黒板支持具１の底板７の長手方向の両方の端部１１とが重ね合わされた状態において、これら端部同士がヒンジ３０により連結される。このように、前脚部２６や後脚部２７と黒板支持具１とがヒンジ３０により互いに回転可能に連結されたので、前脚部２６や後脚部２７は、図３（ａ）に示す脚部動作状態と、図３（ｂ）に示す脚部収納状態とに設定可能となる。即ち、前脚部２６は、溝部６に挟み込まれた黒板４の前方向に延長する状態（脚部動作状態）と、溝部６に挟み込まれた黒板４の前側に位置する立上がり片９に沿って延長する状態（脚部収納状態）とに移動可能に形成される。後脚部２７は、溝部６に挟み込まれた黒板４の後方向に延長する状態（脚部動作状態）と、溝部６に挟み込まれた黒板４の後側に位置する立上がり片９に沿って延長する状態（脚部収納状態）とに移動可能に形成される。
【００１０】
前脚部２６及び後脚部２７が、脚部動作状態に設定された場合には、溝部６の長手方向の両方の端部１１の開口が、前脚部２６及び後脚部２７の立上部２９の一端部２９ａにより塞がれるので（図３（ａ）参照）、黒板４の下端縁部２０が黒板支持部２の溝部６に挟み込まれた支持状態において、黒板４が溝部６の長手方向の両方の端部１１の開口を経由して溝部６から脱落するようなことを防止できる。
また、前脚部２６及び後脚部２７が、脚部収納状態に設定された場合には、黒板支持具１が一本の棒状になり、コンパクトになるので、持ち運びの容易な黒板支持具１となる。
【００１１】
次に、図５；図６を参照し、黒板４の下端縁部２０を黒板支持具１の溝部６内に挿入して、黒板４の下端縁部２０を黒板支持具１の溝部６で支持させる方法を説明する。
まず、脚部３を脚部動作状態に設定して設置面２５に設置する。次に、図５に示すように、黒板４の下端部８の裏面２１に設けられた突起２２と切り欠き部２３との位置を合わせ、図６に示すように、突起２２を切り欠き部２３の上方から切り欠き部２３に通す。この際、図６（ｂ）に示すように、突起２２の先端４０を切り欠き部２３の溝底３１に載置するようにすれば、矢印ａに示すように、黒板４を前方に移動させる際の契機になる。作業者は、この契機を目印として、図６（ｃ）に示すように、黒板４の前面１５が規制片１０の先端１２と接触するように黒板４を前方に移動できるようになるので、その後、黒板４の上端部を後方に押すだけで、図６（ｄ）に示すように、容易に黒板４の前面１５が斜めになるように黒板４を設定できる。尚、図６（ｂ）の矢印ａに示すように黒板４を前方に移動させて黒板４を黒板支持具１の溝の延長方向に移動させて突起２２を切り欠き部２３の位置よりずらした後に、図６（ｃ）に示すように黒板４を直立状態に設定してもよいし、図６（ｄ）に示すように黒板４を斜めに設定してもよい。
【００１２】
最良の形態１によれば、黒板支持部２の両方の端部１１に設けられて溝部６に挟み込まれた黒板４の前後方向に延長して設置面２５に設置される脚部３を備え、溝部６に挟み込まれた黒板４の下端縁部２０の延長方向と脚部３の延長方向とが異なるので、黒板４の面に黒板４の面と交差する方向に力が加わっても脚部３がその力を受け止めるので、黒板４が転倒しにくくなる。
最良の形態１によれば、黒板支持部２は、黒板４を傾斜した状態に支持できるとともに、黒板４を垂直状態に支持できるので、黒板４に書かれた字が見やすくなるように、黒板４の角度を調整できる。
最良の形態１によれば、溝部６の上部開口５は互いに対向する規制片１０の先端１２間により形成され、規制片１０の先端１２間の長さは黒板４の下端部８の裏面２１より突出するように設けられた突起２２の先端４０から黒板４の前面１５までの長さよりも短く形成され、規制片１０は切り欠き部２３を備え、黒板４の裏面２１に設けられた突起２２は切り欠き部２３を経由して溝部６に対して出入可能に形成されたので、溝部６内に挿入した突起２２が規制片１０に衝突することで、溝部６内に挿入された黒板４の下端縁部２０が溝部６から抜けることを防止する。
最良の形態１によれば、脚部３は、脚部収納状態と脚部動作状態とに設定可能な前脚部２６と後脚部２７とを備えるので、脚部動作状態においては黒板支持部２に支持された黒板４を転倒しにくくでき、脚部収納状態においてはコンパクトで持ち運びの容易な黒板支持具１となる。
【００１３】
最良の形態２．
図７に示すように、溝部６の内面に磁石３６を備えた黒板支持部２を備えた構成としてもよい。例えば、磁石３６を接着剤等で底板７の内底面に固定する。磁石３６を用いる場合には、黒板４を磁石３６に吸着可能な磁性体で形成させる。例えば、黒板４の底面３７を磁性体で形成すればよい。
このように、溝部６の内面に磁石３６を備えた構成とした場合、互いに吸着し合う磁石３６と磁性体とにより、黒板４を一定の姿勢に維持させやすくなる。例えば、図７（ａ）に示すように黒板４を斜めに姿勢に維持しやすく、図７（ｂ）に示すように黒板４を直立状態に維持しやすくなる。
【００１４】
最良の形態３．
図８に示すように、規制片１０に切り欠き部２３を設けない構成としてもよい。この場合、黒板４の下端縁部２０を、溝部６の上部開口５から嵌め込むことができない。よって、溝部６内部に黒板４の下端部８を嵌め込む場合には、前脚部２６と後脚部２７とを脚部収納状態にして、黒板４の下端縁部２０を溝部６の長手方向の両方の端部１１の開口の一方から他方の開口に向けてスライドさせて溝部６内部に設置すればよい。
【００１５】
最良の形態４．
図９；図１０に示すように、黒板４の下端部８の裏面２１に突起２２を設けなくともよい。
【００１６】
最良の形態５．
図１１に示すように溝部６の一端から他端に向けて溝部６の長手方向の中間部まで延長した切り欠き部２３を備えてもよい。この場合、突起２２を黒板４の下端縁部２０の裏面２１の端側に設けることが望ましい。
【００１７】
最良の形態６．
図１２及び図１３に示すように、黒板支持部２を伸縮自在に形成した。即ち、黒板支持部２に形成された貫通孔４５とスライド板４６に形成された長尺溝４７とにボルト５０を貫通させて、貫通させたボルト５０の頭部にナット５１を締結させた。これによれば、黒板支持部２は黒板支持部２の延長方向に沿って伸縮自在に形成される。
【００１８】
本形態の黒板支持具１を説明する。
黒板支持部２は黒板支持部２を分割した一方側黒板支持部４２と他方側黒板支持部４３と、スライド板４６と、当該スライド板４６と一方側黒板支持部４２とを取付ける取付具４４とを備える。スライド板４６は一方側黒板支持部４２と他方側黒板支持部４３の底板７に跨るように配置される長尺材である。取付具４４はボルト５０とナット５１とから構成される。
スライド板４６はスライド板４６の上面と下面とに貫通して黒板支持部２の延長方向に沿って延長する長尺溝４７を備える。一方側黒板支持部４２は上面と下面とに貫通する貫通孔４５を備える。他方側黒板支持部４３はスライド板４６と結合する結合面４８を備える。
【００１９】
一方側黒板支持部４２の貫通孔４５とスライド板４６の長尺溝４７とにボルト５０を貫通させて、貫通させたボルト５０の頭部にナット５１を締結することにより一方側黒板支持部４２とスライド板４６とが連結される。他方側黒板支持部４３の接合面４８とスライド板４６の接合面４９とが接着または溶接により結合される。これにより、黒板支持部２のスライド板４６を収納した状態と延長した状態とにすることができる。即ち、図１２（ａ）及び図１３（ａ）に示すように、スライド板４６に連結された取付具４４を一方側黒板支持部４２の長尺溝４７の一端側に位置させた場合、スライド板４６が一方側黒板支持部４２に収納される状態（スライド板収納状態）となる。また、図１２（ｂ）及び図１３（ｂ）に示すようにスライド板４６に連結された取付具４４を一方側黒板支持部４２の長尺溝４７の他端側に位置させた場合、スライド板４６が一方側黒板支持部４２より他方側黒板支持部４３に突出した状態（スライド板延長状態）となる。
【００２０】
最良の形態６によれば、一方側黒板支持部４２とスライド板４６とがボルト５０とナット５１により連結されて、他方側黒板支持部４３の接合面４８とスライド板４６の接合面４９とが結合されたことにより、黒板支持部２が黒板支持部２の延長方向に沿って伸縮自在に形成できて、幅の異なる黒板を支持することができる。
【００２１】
最良の形態７．
黒板支持部２または脚部３に黒板支持具１を載置するための突起を形成した。即ち、黒板支持部２または脚部３の下面の四隅から突出する突起を備えた。この場合、黒板支持部２の底板７の下面から突出するボルト５０やナット５１の突出長さよりも長さを長く設定する。
【産業上の利用可能性】
【００２２】
黒板支持部２をリップ溝形鋼（Ｃ字形溝鋼）を用いて構成すれば、リップ溝形鋼自体が立上がり片９と規制片１０とを備えた構成であるため、黒板支持部２を容易に形成できる。
磁石３６としては、複数の磁石３６を個別に設置してもよいし、溝部６の底板７の内底面に沿って連続するシート状の磁石を用いてもよい。黒板４に埋め込まれた磁性体、溝部６の底板７に設置された磁石３６のうちの少なくとも一方が磁石３６であればよく、両者を磁石３６としてもよい。
溝部６の底板７の内底面に磁石３６を設けずに、黒板４の底部８に磁石を設けてもよい。
切り欠き部２３は規制片１０にのみ形成してもよい。この場合、立上がり片９に溝を形成しないので加工が容易である。
他方側黒板支持部の接合面とスライド板の接合面とは連結されていなくてもよい。
【図面の簡単な説明】
【００２３】
【図１】（ａ）は黒板支持具と黒板との関係を示す斜視図、（ｂ）は黒板が黒板支持具に支持された状態を示す斜視図（最良の形態１）。
【図２】黒板支持具の脚部の動作を示す図（最良の形態１）。
【図３】黒板支持具の脚部を開いた状態と脚部を閉じた状態とを示す平面図（最良の形態１）。
【図４】（ａ）は図３（ａ）の黒板支持具のＡ−Ａ断面図、（ｂ）は図３（ｂ）の黒板支持具のＢ−Ｂ断面図（最良の形態１）。
【図５】黒板の突起と黒板支持具の切り欠き部との関係を示す図（最良の形態１）。
【図６】黒板の下端縁部を黒板支持具の溝部内に挿入させる方法を示す図５の黒板支持具のＣ−Ｃ断面図（最良の形態１）。
【図７】黒板支持具に黒板を取り付けた状態を表す図（最良の形態２）。
【図８】黒板支持具に黒板を取り付けた状態を表す図（最良の形態３）。
【図９】黒板支持具に黒板を取り付けた状態を表す図（最良の形態４）。
【図１０】黒板支持具に黒板を取り付けた状態を表す図（最良の形態４）。
【図１１】黒板支持具に黒板を取り付けた状態を表す図（最良の形態５）。
【図１２】（ａ）は黒板支持部のスライド板の収納状態の斜視図、（ｂ）は黒板支持部のスライド板の延長状態の斜視図（最良の形態６）。
【図１３】（ａ）は黒板支持部のスライド板の収納状態の平面図、（ｂ）は黒板支持部のスライド板の延長状態の平面図（最良の形態６）。
【符号の説明】
【００２４】
１  黒板支持具、２  黒板支持部、３  脚部、４  黒板、５  上部開口、６  溝部、
７  底板、９  立上がり片、１０  規制片、１１  端部、１２  規制片の先端、
１５  黒板の前面、２０  下端縁部、２１  黒板の裏面、２２  突起、
２３  切り欠き部、２５  設置面、２６  前脚部、２７  後脚部、３０  ヒンジ、
３６  磁石、４０  突起の先端。
【図１】
2010115795.tif 000003
【図２】
2010115795.tif 000004
【図３】
2010115795.tif 000005
【図４】
2010115795.tif 000006
【図５】
2010115795.tif 000007
【図６】
2010115795.tif 000008
【図７】
2010115795.tif 000009
【図８】
2010115795.tif 000010
【図９】
2010115795.tif 000011
【図１０】
2010115795.tif 000012
【図１１】
2010115795.tif 000013
【図１２】
2010115795.tif 000014
【図１３】
2010115795.tif 000015